(57)【要約】【課題】主に各種電子機器に使用される開閉装置及びこれを用いた電子機器に関し、多様で確実な操作が可能なものを提供することを目的とする。【解決手段】可動ピン１６や可動カム１７が形成された可動体１５が、所定角度回転した後は、常に開方向へ付勢されるようにして開閉装置３０を形成すると共に、この開閉装置３０と略アーム状の連結部材３３を介して、可動筐体３２を固定筐体３１に装着することによって、可動体１５が所定角度回転した後は常に開方向へ付勢されているため、確実に可動筐体３２の開操作が行えると共に、可動筐体３２が閉じた状態でも、この上面には表示部３２Ａが設けられているため、表示されたメニューの確認等を行うことができ、多様な操作が可能な開閉装置、及びこれを用いた電子機器を得ることができる。【選択図】図１
2013108543.tif 000002
【特許請求の範囲】
【請求項１】
固定カムが形成された固定体と、この固定体を収納する略円筒状の固定ケースと、上記固定カムに弾接する可動ピンまたは可動カムが形成された可動体と、この可動体を軸線方向へ移動可能に収納する可動ケースと、この可動体を上記固定体の方向へ付勢するばねからなり、上記可動体が所定角度回転した後は、常に開方向へ付勢される開閉装置。
【請求項２】
請求項１記載の開閉装置と、上面に表示部または操作部が形成された固定筐体と、上面に表示部が形成された可動筐体と、略アーム状の連結部材からなり、上記開閉装置の可動ケースと固定ケースを、上記連結部材の下端と上記固定筐体に固着すると共に、上記連結部材の上端を上記可動筐体に回転可能に装着した電子機器。
【発明の詳細な説明】
【技術分野】
【０００１】
本発明は、主に携帯電話や電子辞書、パーソナルコンピュータ等の各種電子機器に使用される開閉装置、及びこれを用いた電子機器に関するものである。
【背景技術】
【０００２】
近年、携帯電話や電子辞書、パーソナルコンピュータ等の電子機器の多様化や高機能化が進むなか、固定筐体に対し可動筐体を開閉させて、様々な操作を行うものが増えており、これらに用いられる開閉装置においても、使い易く、多様な操作を行えるものが求められている。
【０００３】
このような従来の開閉装置や電子機器について、図７を用いて説明する。
【０００４】
図７は従来の電子機器の斜視図であり、図７（ｃ）において、１は略箱型で合成樹脂製の固定筐体、２は同じく合成樹脂製の可動筐体で、固定筐体１の上面には複数のキーが配列された操作部１Ａが、可動筐体２の下面には液晶表示素子等の表示部２Ａが形成されている。
【０００５】
また、３は複数のカムやばね（図示せず）等から形成された開閉装置で、固定筐体１後端と可動筐体２下端の間に装着され、この開閉装置３によって、可動筐体２が固定筐体１に対して開閉可能に軸支されて電子機器が構成されている。
【０００６】
以上の構成において、図７（ａ）に示すように、固定筐体１に対して可動筐体２が閉じた状態では、開閉装置３によって可動筐体２が閉方向へ付勢され、可動筐体２が閉じた状態で保持されている。
【０００７】
そして、この閉状態から、図７（ｂ）に示すように、手で可動筐体２を開くと、開閉装置３のカムやばね等が動作して可動筐体２に開く方向の力が加わり、図７（ｃ）に示すように、可動筐体２が固定筐体１に対して所定の操作角度、例えば１３５度前後開いた状態で保持され、表示部２Ａを見ながら操作部１Ａを操作して、例えば文字の入力操作等が行い易い状態となる。
【０００８】
なお、この開状態から可動筐体２を手で閉操作すると、図７（ａ）に示したように、可動筐体２が閉じて保持された状態に戻って、携帯して持ち運び易い状態となる。
【０００９】
つまり、開閉装置３によって可動筐体２を開閉操作することで、固定筐体１に対して可動筐体２が開き、表示部２Ａを見ながら操作部１Ａによる入力操作が行い易い状態と、可動筐体２が閉じて携帯し易い状態に、各々保持することが可能なように構成されているものであった。
【００１０】
なお、この出願の発明に関連する先行技術文献情報としては、例えば、特許文献１が知られている。
【先行技術文献】
【特許文献】
【００１１】
【特許文献１】特開２００９−２６４５２７号公報
【発明の概要】
【発明が解決しようとする課題】
【００１２】
しかしながら、上記従来の開閉装置及びこれを用いた電子機器においては、操作部１Ａは固定筐体１の上面に、表示部２Ａは可動筐体２の下面に形成され、可動筐体２が閉じた状態では操作部１Ａも表示部２Ａも隠れているため、この状態では画面を見ることも入力操作を行うこともできず、可動筐体２を都度開いてこれらを行う必要があり、操作が煩雑なものになってしまうという課題があった。
【００１３】
本発明は、このような従来の課題を解決するものであり、可動筐体が閉じたままでも操作等が行え、多様な操作が可能な開閉装置及びこれを用いた電子機器を提供することを目的とする。
【課題を解決するための手段】
【００１４】
上記目的を達成するために本発明は、可動ピンまたは可動カムが形成された可動体が、所定角度回転した後は、常に開方向へ付勢されるようにして開閉装置を形成すると共に、この開閉装置と略アーム状の連結部材を介して、可動筐体を固定筐体に装着して電子機器を構成したものであり、可動体が所定角度回転した後は常に開方向へ付勢されているため、確実に可動筐体の開操作が行えると共に、可動筐体が閉じた状態でも、この上面に表示部が設けられているため、表示されたメニューの確認等を行うことができ、多様な操作が可能な開閉装置、及びこれを用いた電子機器を得ることができるという作用を有するものである。
【発明の効果】
【００１５】
以上のように本発明によれば、多様な操作が可能な開閉装置及びこれを用いた電子機器を実現することができるという有利な効果が得られる。
【図面の簡単な説明】
【００１６】
【図１】本発明の一実施の形態による開閉装置の断面図
【図２】同分解斜視図
【図３】同電子機器の分解斜視図
【図４】同斜視図
【図５】同カム動作図
【図６】同カム動作図
【図７】従来の電子機器の斜視図
【発明を実施するための形態】
【００１７】
以下、本発明の実施の形態について、図１〜図６を用いて説明する。
【００１８】
（実施の形態）
図１は本発明の一実施の形態による開閉装置の断面図、図２は同分解斜視図であり、同図において、１１は略円筒状で鋼や銅合金、焼結合金等の固定体で、外周には外方へ突出した一対の固定カム１２が設けられている。
【００１９】
そして、１３は略円柱状で金属製の固定軸、１４は略円筒状で金属製の固定ケースで、固定ケース１４内に固定体１１が収納されると共に、固定軸１３の左端に固定体１１と固定ケース１４が各々固着され、固定ケース１４右端には傾斜部１４Ａが設けられている。
【００２０】
また、１５は略リング状で金属製の可動体で、固定体１１に対し開閉方向へ回転可能に、かつ軸線方向へ移動可能に配置されると共に、内周には内方へ突出した一対の可動ピン１６が、左端外周には固定体１１の方向へ突出する一対の可動カム１７が各々形成されている。
【００２１】
さらに、１８は略円筒状で金属製の可動ケースで、外周の溝部に可動体１５外周の凸部が挿入され、可動体１５が可動ケース１８に対し軸線方向へは移動可能で、回転方向へは一体となって回転するようにして、可動ケース１８内に収納されている。
【００２２】
また、可動ケース１８の左端開口部には固定ケース１４が回転可能に装着されると共に、固定軸１３が可動体１５や可動ケース１８内を挿通し、右端が止め輪１９によって可動ケース１８外側面に回転可能に装着されている。
【００２３】
そして、２０はコイル状に巻回された鋼線製のばねで、可動体１５右側面と可動ケース１８内側面の間にやや撓んだ状態で装着され、このばね２０によって、可動体１５が左方の固定体１１の方向へ付勢されている。
【００２４】
さらに、２１は略円筒状で金属製の反転体、２２は略リング状の解除体で、反転体２１右端には右方へ突出する一対の反転カム２３が、解除体２２右端には凹凸状の解除カム２４が各々形成されている。
【００２５】
そして、反転体２１が軸線方向へ移動可能なように、解除体２２が回転可能なようにして、反転体２１と解除体２２が固定ケース１４に各々装着されている。
【００２６】
さらに、２５は右端に右方へ突出する押圧カム２６が形成された押圧体、２７は鋼線製の巻ばねで、巻ばね２７がやや捩られた状態で一端が解除体２２に、他端が押圧体２５に係止されると共に、押圧体２５が固定軸１３左端に軸線方向へ移動可能に装着され、固定ケース１４から左方へ突出して、開閉装置３０が構成されている。
【００２７】
また、図３はこのような開閉装置３０を用いた電子機器の分解斜視図であり、同図において、３１は略箱型で合成樹脂製の固定筐体で、この固定筐体３１内には複数の電子部品が実装された配線基板（図示せず）が収納されて、電子回路（図示せず）が形成されると共に、上面には複数のキーが配列された操作部３１Ａが設けられている。
【００２８】
そして、３２は同じく合成樹脂製の可動筐体で、可動筐体３２内には固定筐体３１と同様に電子回路が形成されると共に、上面には液晶表示素子等の上に、光透過性のタッチパネル等を載置した表示部３２Ａが設けられている。
【００２９】
さらに、３３は略アーム状で合成樹脂または金属製の連結部材で、この連結部材３３の左下端に開閉装置３０の可動ケース１８が、固定筐体３１の左内側面に固定ケース１４が各々固着され、開閉装置３０を介して連結部材３３左下端が固定筐体３１左内側面に装着されている。
【００３０】
また、３４はダンパーで、固定部３４Ａとこれに対して回転可能な可動部３４Ｂの間に、複数のカムや潤滑油、ばね（図示せず）等が設けられ、可動部３４Ｂが所定の摩擦力をもって回転するように形成されると共に、このダンパー３４の固定部３４Ａが固定筐体３１の右内側面に、可動部３４Ｂが連結部材３３の右下端に固着されている。
【００３１】
そして、連結部材３３の左右上端の貫通孔を挿通したピン３５Ａと３５Ｂが、可動筐体３２の左右側面の通孔に挿入され、連結部材３３左右上端が可動筐体３２左右側面に回転可能に装着されている。
【００３２】
さらに、固定筐体３１の左右内側面には、上面に平行に溝部３１Ｂが設けられると共に、この溝部３１Ｂに可動筐体３２下端の左右側面の突起部３２Ｂが挿入され、固定筐体３１左側面から突出した開閉装置３０の押圧体２５には押釦３６が装着されて、電子機器が構成されている。
【００３３】
以上の構成において、図４（ａ）の斜視図に示すように、固定筐体３１に対して可動筐体３２が閉じた状態では、開閉装置３０は、図５（ａ）のカム動作図に示すように、可動体１５の方向へ突出した反転カム２３の、下側の傾斜面に可動ピン１６が弾接し、可動体１５がばね２０によって下方向の閉方向へ付勢されているため、可動ケース１８が装着された連結部材３３左下端には閉方向への付勢力が働き、上面に表示部３２Ａが形成された可動筐体３２が、固定筐体３１上に閉じた状態で保持されている。
【００３４】
そして、このように可動筐体３２が閉じた状態でも、可動筐体３２上面には表示部３２Ａが形成されているため、この表示部３２Ａの画面に表示されたメニュー等を見ることができると共に、タッチパネル等を通して背面の液晶表示素子等を見ながら、所望のメニュー上のタッチパネルを押圧あるいは接触操作することで、所望のメニュー等の選択を行えるようになっている。
【００３５】
また、この閉状態から、指で固定筐体３１左側面の押釦３６を押圧操作すると、図５（ｂ）に示すように、押釦３６が装着された押圧体２５の押圧カム２６が解除カム２４を押圧して、解除体２２が巻ばね２７を撓めながら下方向へ回転し、解除カム２４が反転カム２３左端から外れるため、反転カム２３が左方向へ移動する。
【００３６】
このため、図５（ｃ）に示すように、ばね２０に付勢された一対の可動ピン１６が、固定カム１２上側の傾斜面に弾接して上方向へ回転し、可動体１５が上方向の開方向へ付勢されるため、この力によって可動ケース１８と、これが装着された連結部材３３左下端には開く方向の力が加わり、図４（ｂ）に示すように、可動筐体３２が開操作される。
【００３７】
なお、この時、可動筐体３２下端の左右側面の突起部３２Ｂが、固定筐体３１の左右内側面の溝部３１Ｂ内を摺動し、可動筐体３２が左右下端を固定筐体３１にガイドされて可動筐体３２の開操作が行われるため、可動筐体３２がガタつきなく滑らかに開くようになっている。
【００３８】
そして、固定カム１２上側の傾斜面上を、可動ピン１６が上方向へ弾接摺動するに伴って可動筐体３２が開いてゆくが、可動体１５が所定角度回転した後は、図６（ａ）のカム動作図に示すように、一対の可動カム１７が固定ケース１４右端に設けられた傾斜部１４Ａに弾接する。
【００３９】
さらに、この後、図６（ｂ）に示すように、可動体１５外周の可動カム１７が、固定ケース１４右端の傾斜部１４Ａを上方向へ弾接摺動し、この可動体１５外周の可動カム１７の大きなトルク力によって、可動体１５の回転と、これに伴う可動筐体３２の開操作が行われる。
【００４０】
そして、図４（ｃ）に示すように、可動筐体３２が所定角度まで開くと、連結部材３３下端が固定筐体３１後端に当接、あるいは突起部３２Ｂが溝部３１Ｂ後端に当接して、可動体１５の回転が止められ、可動筐体３２が固定筐体３１に対して所定の操作角度で、例えば１３０度前後開いた状態で保持され、表示部３２Ａを見ながら操作部３１Ａを操作して、例えば文字の入力操作等が行い易い状態となる。
【００４１】
なお、押圧操作した後、押釦３６から指を離すと、図６（ｃ）に示すように、押圧カム２６への押圧力がなくなるため、巻ばね２７に付勢された解除カム２４が上方向へ戻り、左端を押圧された反転カム２３が右方向へ移動して、これらのカムが元の位置に復帰する。
【００４２】
また、この開状態から可動筐体３２を手で閉じると、上記とは逆に、可動カム１７が傾斜部１４Ａを下方向へ弾接摺動した後、可動ピン１６が反転カム２３の傾斜面を下方向へ弾接摺動し、可動ピン１６が反転カム２３の下側の傾斜面に弾接して、図４（ａ）や図５（ａ）に示した状態に戻り、可動筐体３２が携帯し易い閉じた状態となる。
【００４３】
つまり、手による開閉操作に加え、可動筐体３２を開く際には、押釦３６が装着された押圧体２５の押圧操作によって、可動体１５を上方向、すなわち開方向に回転させて、可動筐体３２をワンタッチで開く、所謂ワンタッチオープン操作が行えると共に、可動筐体３２が閉じた状態でも、この上面には表示部３２Ａが設けられているため、表示されたメニューの確認や選択等を行うことが可能なように構成されている。
【００４４】
そして、このように押釦３６を押圧操作して開操作を行う際、可動ピン１６や可動カム１７が形成された可動体１５が、所定角度回転した後は、可動カム１７が固定ケース１４の傾斜部１４Ａを弾接摺動して、可動体１５が常に開方向へ付勢されて、可動筐体３２の開操作が行われると共に、可動体１５外周の可動カム１７と固定ケース１４右端の傾斜部１４Ａの、大きなトルク力によって開操作が行われるようになっている。
【００４５】
すなわち、可動ピン１６が固定カム１２の傾斜面を弾接摺動し、可動体１５が所定角度回転した後は、連結部材３３や突起部３２Ｂ等によって可動体１５の回転が止められ、可動筐体３２が完全に開き切るまでは、可動カム１７が固定ケース１４の傾斜部１４Ａを弾接摺動して、可動体１５が常に開方向へ付勢されているため、確実な可動筐体３２の開操作が行えるように構成されている。
【００４６】
さらに、可動筐体３２下端の左右側面に設けられた突起部３２Ｂが、固定筐体３１の左右内側面の溝部３１Ｂに挿入され、可動筐体３２が左右下端を固定筐体３１にガイドされて、可動筐体３２の開閉が行われているため、ガタつきがなく滑らかな可動筐体３２の開閉が行われるようになっている。
【００４７】
また、開閉装置３０とは逆側の固定筐体３１の右内側面と、連結部材３３の右下端に固着されたダンパー３４の回転摩擦力を大きく、あるいは小さくし、開閉装置３０による開方向への付勢力を調整することで、可動筐体３２を緩やかに、あるいは速やかに開操作することも可能となる。
【００４８】
なお、以上の説明では、可動筐体３２上面に表示部３２Ａを、固定筐体３１上面に操作部３１Ａを設けた構成について説明したが、固定筐体３１上面に可動筐体３２と同様の、液晶表示素子等の上に光透過性のタッチパネル等を載置した表示部を設け、これを操作して表示されたメニューの確認や選択等を行ったり、二つの大きな画面で画像を見たりする構成としても、本発明の実施は可能である。
【００４９】
このように本実施の形態によれば、可動ピン１６や可動カム１７が形成された可動体１５が、所定角度回転した後は、常に開方向へ付勢されるようにして開閉装置３０を形成すると共に、この開閉装置３０と略アーム状の連結部材３３を介して、可動筐体３２を固定筐体３１に装着することによって、可動体１５が所定角度回転した後は常に開方向へ付勢されているため、確実に可動筐体３２の開操作が行えると共に、可動筐体３２が閉じた状態でも、この上面には表示部３２Ａが設けられているため、表示されたメニューの確認等を行うことができ、多様な操作が可能な開閉装置、及びこれを用いた電子機器を得ることができるものである。
【産業上の利用可能性】
【００５０】
本発明による開閉装置及びこれを用いた電子機器は、多様で確実な操作が可能なものを得ることができるという有利な効果を有し、主に各種電子機器に使用される開閉装置として有用である。
【符号の説明】
【００５１】
１１  固定体
１２  固定カム
１３  固定軸
１４  固定ケース
１４Ａ  傾斜部
１５  可動体
１６  可動ピン
１７  可動カム
１８  可動ケース
１９  止め輪
２０  ばね
２１  反転体
２２  解除体
２３  反転カム
２４  解除カム
２５  押圧体
２６  押圧カム
２７  巻ばね
３０  開閉装置
３１  固定筐体
３１Ａ  操作部
３１Ｂ  溝部
３２  可動筐体
３２Ａ  表示部
３２Ｂ  突起部
３３  連結部材
３４  ダンパー
３４Ａ  固定部
３４Ｂ  可動部
３５Ａ、３５Ｂ  ピン
３６  押釦
【図１】
2013108543.tif 000003
【図２】
2013108543.tif 000004
【図３】
2013108543.tif 000005
【図４】
2013108543.tif 000006
【図５】
2013108543.tif 000007
【図６】
2013108543.tif 000008
【図７】
2013108543.tif 000009